(57)【要約】【課題】従来周知の安価な構造の買い物袋等により重いものも、何ら痛みを覚えることなく運搬することができる手提げ補助具を提供する。【解決手段】買い物袋（Ｆ）の手提げ紐（Ｓ）に装着して使用される手提げ補助具を、ウレタンゴム、軟質塩化ビニール等の軟質材から所定面積の底部（１）と、該底部（１）の両端部から所定量立ち上がって、互いに近接する方へ延びている庇部（４、４）とから構成する。底部（１）の上面と庇部（４、４）の下面との間に所定大きさの空間部（５、５）を形成する。この空間部（５、５）に使用時に紐（Ｓ）を側部から入れる。重い買い物袋（Ｆ）を、手提げ補助具を介して腕で提げる。【選択図】　図１
2004057303.tif 000002
【特許請求の範囲】
【請求項１】
買い物袋、手提げバック等を吊り下げる紐体に装着して使用される手提げ補助具であって、
前記補助具は、ウレタンゴム、軟質塩化ビニール等の軟質材から略方形あるいは長方形を呈するように形成されている所定面積の底部と、該底部の両端部から所定量立ち上がって、互いに近接する方へ延びている庇部とから構成され、前記底部の上面と前記庇部の下面との間に前記紐体が側部から入る大きさの空間部が形成されていることを特徴とする手提げ補助具。
【請求項２】
買い物袋、手提げバック等を吊り下げる紐体に装着して使用される手提げ補助具であって、
前記補助具は、ウレタンゴム、軟質塩化ビニール等の軟質材から形成された所定面積のパッドからなり、該パッドの上面には所定の間隔をおいて前記紐体が側部から入る大きさの空間部が形成されていることを特徴とする手提げ補助具。
【発明の詳細な説明】
【０００１】
【発明の属する技術分野】
本発明は、買い物袋、手提げバック等を吊り下げる紐体に装着して使用される手提げ補助具に関するものである。
【０００２】
【従来の技術】
ビニール製あるいは紙製の買い物袋は、従来周知のように上方端部は開放されている。そして、開放口の両側縁には、吊り下げ用のループ状の紐が取り付けられている。また、手提げバックにも、同様な吊り下げ用の紐が設けられている。さらには、梱包用の紐も市販されているので、これらの紐により段ボール等は荷造りされ、そして必要に応じて、例えば荷造りした紐の端部で吊り下げ用の握り部も形成されている。
【０００３】
【発明が解決しようとする課題】
上記のように、従来の買い物袋、手提げバック等には吊り下げ用の紐が取り付けられているので、吊り下げ用の紐あるいは握り部を利用して買い物袋等運ぶことができる。しかも、これらの吊り下げ用紐は、単純な紐から構成されているので、買い物袋等が格別に高価になることがなく、安価に提供できる利点もある。このように、従来の買い物袋には、吊り下げ用の紐が付いているので、通常は格別に問題はない。しかしながら、内容物の重量が大きくなると、紐が手に食い込み苦痛を伴うようになる。特に、女性は吊り下げ用の紐を腕に通して運ぶ傾向があるが、腕は掌に比較して皮膚が弱いので、苦痛は一層大きくなる。このような苦痛の問題も吊り下げ用の紐の握り部分に、クッション材を設けると、ある程度解決されるが、クッション材を設けると高価になり、軽い買い物を入れる買い物袋にまでクッション材を設けると実用上問題が生じる。上記のような問題は、手提げバックについても、さらには荷造り用の紐についてもいえる。
本発明は、上記したような従来の買い物袋等の問題点に鑑みてなされたものであって、従来周知の安価な構造の買い物袋等により重いものも、何ら痛みを覚えることなく運搬することができる手提げ補助具を提供することを目的としている。
【０００４】
【課題を解決するための手段】
従来の買い物袋等の吊り下げ用の紐は、断面積が小さい。したがって、重いものを入れると、紐が体に食い込み痛みが生じるようになる。そこで、本発明は上記目的を達成するために、体に接触する部分には、ウレタンゴム、軟質塩化ビニール等の軟質材からなる所定面積の部材が当たるように構成される。また、このような部材は、上記発明の目的を達成するためには、従来周知の買い物袋等の紐にも適用される必要がある。そこで、上記のような部材は、紐に装着自在に構成される。かくして、請求項１に記載の発明は、上記目的を達成するために、買い物袋、手提げバック等を吊り下げる紐体に装着して使用される手提げ補助具であって、前記補助具は、ウレタンゴム、軟質塩化ビニール等の軟質材から略方形あるいは長方形を呈するように形成されている所定面積の底部と、該底部の両端部から所定量立ち上がって、互いに近接する方へ延びている庇部とから構成され、前記底部の上面と前記庇部の下面との間に前記紐体が側部から入る大きさの空間部が形成されるように構成される。請求項２に記載の発明は、買い物袋、手提げバック等を吊り下げる紐体に装着して使用される手提げ補助具であって、前記補助具は、ウレタンゴム、軟質塩化ビニール等の軟質材から形成された所定面積のパッドからなり、該パッドの上面には所定の間隔をおいて前記紐体が側部から入る大きさの空間部が形成されている。
【０００５】
【発明の実施の形態】
以下、本発明の実施の形態を説明する。図１の（イ）は、第１の実施の形態に係わる手提げ補助具Ｔを示す斜視図であるが、同図に示されているように第１の実施の形態の手提げ補助具Ｔは、ウレタンゴム、軟質塩化ビニール等の軟質材から概略長方体を呈するよう形成されている。すなわち、長さＬは例えば１００ｍｍ、幅Ｗは２０〜２５ｍｍ、高さＨ１５ｍｍ程度になっている。さらに詳しく説明すると、手提げ補助具Ｔは、吊り下げ用の紐に装着するとき、体に接する部分の底部１と、該底部１の両側部から立ち上がっている立上部３、３と、これらの立上部３、３の上端部から互いに近接するように、且つ間に所定の隙間が残るように延びている一対の庇部４、４とからなっている。このように、本実施の形態によると、底部１と庇部４、４とからなっているので、底部１の上面と、庇部４、４の下面のと間には空間部５，５が形成されている。また、底部１の中間部の上面は、上側に凸になったガイド部２形成されている。このガイド部２により、紐が空間部５、５に入り易すくなっている。
【０００６】
第１の実施の形態に係わる手提げ補助具Ｔは、上記のように構成されているので、図１の（ロ）に示されているようにして使用することができる。すなわち、買い物袋Ｆに入れられている買い物が重たいときは、手提げ補助具Ｔを取り出し、買い物袋Ｆの紐Ｓ、Ｓを手提げ補助具Ｔの空間部５、５に入れる。そして、手提げ補助具Ｔを手あるいは腕で吊り下げる。このとき、空間部５、５の間隔は、２０〜２５ｍｍで買い物袋Ｆの開口部よりも一般に狭いので、紐Ｓ、Ｓは広がろうとするが空間部５、５で規制されて、それ以上は広がらない。手提げ補助具Ｔは、軟質材から構成され、そして底部１は所定の面積になっているので、買い物袋Ｆが重くても紐Ｓ、Ｓが手、腕等に食い込むようなことはない。なお、運び終わったら、買い物袋Ｆの紐Ｓ、Ｓから簡単に外し、次の機会に備えることができることは明らかである。また、手提げバック、荷造り用の紐等にも同様に適用できることも明らかである。
【０００７】
図１の（ハ）、（ニ）に本発明の第２の実施の形態が示されている。本実施の形態によると、使用時に手あるいは腕に当たる部分は、平面形状が円形を呈するパッド１０からなっている。パッド１０もウレタンゴム、軟質塩化ビニール等の軟質材から構成されている。そして、パッド１０の上面には、所定の間隔をおいて一対の突起１１、１１が設けられている。これらの突起１１、１１の内側に紐Ｓ、Ｓが側部から入る大きさの空間部１２、１２が形成されている。本実施の形態に係わる手提げ補助具Ｔ’も、前述したようにして使用できることは明らかである。また、一対の突起１１、１１は、図１の（ハ）において点線で示されているようにパッド１０の表面の一部、例えば中心部近傍のみに設けることができることも明らかである。さらには、パッド１０の形状が図示の形状に限定されないことも明らかである。
【０００８】
【発明の効果】
以上のように、本発明によると、手提げ補助具は、ウレタンゴム、軟質塩化ビニール等の軟質材から略方形あるいは長方形を呈するように形成されている所定面積の底部と、該底部の両端部から所定量立ち上がって、互いに近接する方へ延びている庇部とから構成され、前記底部の上面と前記庇部の下面との間に前記紐体が側部から入る大きさの空間部が確保されているので、あるいは補助具は、ウレタンゴム、軟質塩化ビニール等の軟質材から形成された所定面積のパッドからなり、該パッドの上面には所定の間隔をおいて前記紐体が側部から入る大きさの空間部が形成されているので、空間部に買い物袋、手提げバック等を吊り下げ用の紐を入れるだけで、重い荷物を体に苦痛を覚えることなく運ぶことができるという、本発明に特有の効果が得られる。また、本発明によると、手提げ補助具は買い物袋等とは別体になっているので、買い物袋等が高価になるようなこともない。さらには、本発明による手提げ補助具は、繰り返し使用できるので、徒に廃棄物を増やすようなこともない。
【図面の簡単な説明】
【図１】本発明の実施の形態を示す図で、その（イ）は第１の実施の形態に係わる手提げ補助具を示す斜視図で、その（ロ）はその使用状態を示す斜視図、その（ハ）は第２の実施の形態を示す平面図、その（ニ）はその側面図である。
【符号の説明】
Ｔ、Ｔ’　　手提げ補助具　　　　　１　　　　　底部
３　　　立上部　　　　　　　　４　　　　　庇部
５　　　空間部　　　　　　　１０　　　　　パッド
１１　　　突起　　　　　　　　１２　　　　　空間部
【図１】
2004057303.tif 000003